(57)【要約】【課題】  記録媒体に再生不可能な他の記録方式のデータが存在する時に、ユーザーにそれらのデータの存在と詳細な情報を通知する画像記録装置を提供する。【解決手段】画像の撮影、記録、再生等が可能な画像記録装置の記録媒体内に再生不可能な記録フォーマットのデータが存在する場合に前記データが存在することを通知する通知手段を備える。【選択図】  図１
2005175983.tif 000002
【特許請求の範囲】
【請求項１】
画像の撮影、記録、再生等が可能な画像記録装置において、記録媒体内に再生不可能な記録フォーマットのデータが存在する場合に前記データが存在することを通知する通知手段を備えた画像記録装置。
【請求項２】
請求項１記載の画像記憶装置において、前記通知手段は、前記画像記録装置が撮影モードの時に記録媒体内に再生不可能な記録フォーマットのデータが存在することを表示することを特徴とする画像記録装置。
【請求項３】
請求項１記載の画像記録装置において、前記通知手段は、記録媒体内の記録可能残量が０（ゼロ）の時に記録媒体内に再生不可能な記録フォーマットのデータが存在することを表示することを特徴とする画像記録装置。
【請求項４】
請求項１記載の画像記録装置において、前記通知手段は、前記記録媒体の画像記録装置への挿入時に記録媒体内に再生不可能な記録フォーマットのデータが存在することを表示することを特徴とする画像記録装置。
【請求項５】
請求項１記載の画像記録装置において、前記通知手段は、記録媒体の初期化時に記録媒体内に再生不可能な記録フォーマットのデータが存在することを表示することを特徴とする画像記録装置。
【請求項６】
請求項１記載の画像記憶装置において、前記通知手段は、記録媒体内の全データ消去時に記録媒体内に再生不可能な記録フォーマットのデータが存在することを表示することを特徴とする画像記録装置。
【請求項７】
請求項１記載の画像記録装置において、前記通知手段は、記録媒体内に再生不可能な記録フォーマットのデータが存在することをそのファイル名で表示することを特徴とする画像記録装置。
【請求項８】
請求項１記載の画像記録装置において、前記通知手段は、記録媒体内に再生不可能な記録フォーマットのデータが存在することをその総データ容量で表示することを特徴とする画像記録装置。
【請求項９】
請求項１記載の画像記録装置において、前記通知手段は、記録媒体内に再生不可能な記録フォーマットのデータが存在することをその総データ容量に相当する推定撮影可能枚数で表示することを特徴とする画像記録装置。
【請求項１０】
画像の撮影、記録、再生等が可能な画像記録装置において、記録媒体内に再生不可能な記録フォーマットのデータが存在する場合に該データを消去するか否かを通知する消去選択通知手段を備えた画像記録装置。
【請求項１１】
請求項１０記載の画像記録装置において、前記消去選択通知手段は、画像記録装置が撮影モードの時に記録媒体内に再生不可能な記録フォーマットのデータが存在する場合に前記データを消去するか否かを通知することを特徴とする画像記録装置。
【請求項１２】
請求項１０記載の画像記録装置において、前記消去選択通知手段は、記録媒体内の記録可能残量が０（ゼロ）の時に記録媒体内に再生不可能な記録フォーマットのデータが存在する場合に前記データを消去するか否かを通知することを特徴とする画像記録装置。
【請求項１３】
請求項１０記載の画像記録装置において、前記消去選択通知手段は、記録媒体の画像記録装置への挿入時に記録媒体内に再生不可能な記録フォーマットのデータが存在する場合に前記データを消去するか否かを通知することを特徴とする画像記録装置。
【請求項１４】
請求項１０記載の画像記録装置において、前記消去選択通知手段は、記録媒体の初期化時に記録媒体内に再生不可能な記録フォーマットのデータが存在する場合に前記データを消去するか否かを通知することを特徴とする画像記録装置。
【請求項１５】
請求項１０記載の画像処理装置において、前記消去選択通知手段は、記録媒体内の全データ消去時に記録媒体内に再生不可能な記録フォーマットのデータが存在する場合に前記データを消去するか否かを通知することを特徴とする画像記録装置。
【請求項１６】
画像の撮影、記録、再生等が可能な画像記録装置を制御する制御プログラムを記録した記録媒体であって、前記制御プログラムは、画像データ等が記憶される記録媒体内に再生不可能な記録フォーマットのデータが存在するか否かを判断し、前記データが存在する場合には、前記データの情報を通知すること特徴する記録媒体。
【請求項１７】
画像の撮影、記録、再生等が可能な画像記録装置を制御する制御プログラムを記録した記録媒体であって、前記制御プログラムは、画像データ等が記録される記録媒体内に再生不可能な記録フォーマットのデータが存在するか否かを判断し、前記データが存在する場合には、前記データを消去するか否かを通知することを特徴とする記録媒体。
【発明の詳細な説明】
【技術分野】
【０００１】
この発明は、記録媒体を備え画像の撮影、記録、再生等が可能な画像記録装置に関する。
【背景技術】
【０００２】
従来、デジタルデータとして画像を記録するデジタルカメラは、フィルムに記録する銀塩カメラと異なり、画像の編集や通信等が容易であり、幅広い用途で用いられる。ユーザーは、フィルムの現像を待つことなく撮った画像をすぐその場で見たり、削除したり、或いはもう一度撮り直したりすることができる。
【０００３】
ところで、一般的にデジタルカメラによって撮影された画像は主に可搬性という観点からコンパクトフラッシュ等の着脱式の記録媒体に記録する。デジタルカメラで撮影した画像は記録媒体を取り外して持ち運ぶことによって他の情報機器でブラウズすることが可能である。
【特許文献１】特開平１１−２５９５０６号広報
【発明の開示】
【発明が解決しようとする課題】
【０００４】
しかしながら、上記従来の着脱式の記録媒体はデジタルカメラで撮影した画像以外に他の記録フォーマットを有するデータも記録可能で、これらも他の情報機器間でしばしばやり取りされる。例えば、文書データや表計算データ等がそれである。
【０００５】
そのためユーザーが記録媒体に記録するデータは必ずしも画像記録フォーマットのデータであるとは限らず、デジタルカメラでの再生が不可能な記録フォーマットのデータを含んだままデジタルカメラへ記録媒体を挿入するケースが存在する。
【０００６】
この場合、サポートしない文書データや表計算データ等の記録フォーマットのデータは画像再生が不可能の記録フォーマットのデータ領域として無視される。
【０００７】
しかし、記録媒体内の画像再生不可能なデータがデジタルカメラによって認識されない場合、ユーザーにとって数々の不便を生じる。それは、例えば「ユーザーが遠隔地での撮影用に２ＭＢの着脱式記録媒体を持っていく時に、もしその記録媒体内に１ＭＢの画像以外のデータが既に記録されていたら、ユーザーはあと１ＭＢ分の画像しか撮影することができない。」といった場合である。ここで既に記録されていたデータがデジタルカメラで再生が可能な画像データであるならば、ユーザーは以前に撮影した画像の存在を知り、画像の内容を確認した上で、消去して新規撮影用の領域を確保する判断が可能である。しかし、データが画像データでない場合にはユーザーはそのデータがどのようなデータあるかはおろか、それらのデータが存在することすら認識することができない。この時、ユーザーは２ＭＢ分の撮影ができることを期待しているにも関わらず、１ＭＢ分の画像しか撮影できない予想外の容量の少なさに困惑する結果を招く。ユーザーはこの結果から画像以外のデータが存在することを予想することができるが、他の原因で撮影可能容量が少ない可能性もあり、原因を明確にすることはできないという問題を生じる。
【０００８】
また、デジタルカメラでは画像再生不可能なデータは認識されないので記録媒体の初期化を行うと、それらのデータはユーザーの認識しないうちに消去されてしまうという問題点を生じる。したがって、ユーザーが画像以外のデータが存在することを明確に把握できるような手段が求められている。
【０００９】
上記特許文献１では、デジタルカメラ再生時のデータ破壊、フレームの不整合、表示可能サイズ外のデータをユーザーに通知する手段について提案されているが、本発明ではユーザーが画像を再生する時に再生不可能なデータの原因を通知することを目的としているのではなく、撮影可能枚数がユーザーの予想に反して少ない、記録媒体の初期化時にデータが失われる、といった記録媒体内に再生不可能な記録方式のデータが存在する場合のデジタルカメラ操作の支障や負担をユーザーから解放することを目的としている。
【００１０】
本発明は、以上の点を考慮してなされたものであり、記録媒体に再生不可能な他の記録方式のデータが存在する時に、ユーザーにそれらのデータの存在と詳細な情報を通知する画像記録装置を提供することを目的とする。
【００１１】
また、第２に、ユーザーに上記の情報を通知すると共に、それらのデータを消去するか否かの選択をユーザーに通知する画像記録装置を提供することにある。
【課題を解決するための手段】
【００１２】
上記課題を解決するため、本発明では以下のように構成している。
【００１３】
即ち、請求項１記載の画像記録装置は、画像の撮影、記録、再生等が可能な画像記録装置において、記録媒体内に再生不可能な記録フォーマットのデータが存在する場合に前記データが存在することを通知する通知手段を備えていることを特徴とする。
【００１４】
また、前記通知手段は、画像記録装置が撮影モードの時に記録媒体内に再生不可能な記録フォーマットのデータが存在することを表示する構成でもよく、前記通知手段は、記録媒体内の記録可能残量が０（ゼロ）の時に記録媒体内に再生不可能な記録フォーマットのデータが存在することを表示する構成でもよい。
【００１５】
また、前記通知手段は、記録媒体の画像記録装置への挿入時に記録媒体内に再生不可能な記録フォーマットのデータが存在することを表示する構成でも良く、前記通知手段は、記録媒体の初期化時に記録媒体内に再生不可能な記録フォーマットのデータが存在することを表示する構成でもよい。
【００１６】
また、前記通知手段は、記録媒体内の全データ消去時に記録媒体内に再生不可能な記録フォーマットのデータが存在することを表示する構成としてもよく、前記通知手段は、記録媒体内に再生不可能な記録フォーマットのデータが存在することをそのファイル名で表示する構成としてもよい。
【００１７】
また、前記通知手段は、記録媒体内に再生不可能な記録フォーマットのデータが存在することをその総データ容量で表示する構成としてもよく、前記通知手段は、記録媒体内に再生不可能な記録フォーマットのデータが存在することをその総データ容量に相当する推定撮影可能枚数で表示する構成でもよい。
【００１８】
さらに、請求項１０記載の画像記録装置は、画像の撮影、記録、再生等が可能な画像記録装置において、記録媒体内に再生不可能な記録フォーマットのデータが存在する場合に該データを消去するか否かを通知する消去選択通知手段を備えていることを特徴とする。
【００１９】
また、前記消去選択通知手段は、画像記録装置が撮影モードの時に記録媒体内に再生不可能な記録フォーマットのデータが存在する場合に該データを消去するか否かを通知する構成としてもよく、前記消去選択通知手段は、記録媒体内の記録可能残量が0の時に記録媒体内に再生不可能な記録フォーマットのデータが存在する場合に該データを消去するか否かを通知する構成としてもよい。
【００２０】
また、前記消去選択通知手段は、記録媒体の画像記録装置への挿入時に記録媒体内に再生不可能な記録フォーマットのデータが存在する場合に該データを消去するか否かを通知する構成としてもよく、前記消去選択通知手段は、記録媒体の初期化時に記録媒体内に再生不可能な記録フォーマットのデータが存在する場合に該データを消去するか否かを通知する構成や、前記消去選択通知手段は、記録媒体内の全データ消去時に記録媒体内に再生不可能な記録フォーマットのデータが存在する場合に該データを消去するか否かを通知する構成としてもよい。
【００２１】
さらに、請求項１６記載の記録媒体は、画像の撮影、記録、再生等が可能な画像記録装置を制御する制御プログラムを記録した記録媒体であって、前記制御プログラムは、画像データ等が記憶される記録媒体内に再生不可能な記録フォーマットのデータが存在するか否かを判断し、前記データが存在する場合には、前記データの情報を通知すること特徴する。
【００２２】
また、請求項１７記載の記録媒体は、画像の撮影、記録、再生等が可能な画像記録装置を制御する制御プログラムを記録した記録媒体であって、前記制御プログラムは、画像データ等が記録される記録媒体内に再生不可能な記録フォーマットのデータが存在するか否かを判断し、前記データが存在する場合には、前記データを消去するか否かを通知することを特徴とする。
【００２３】
したがって、上記手段は、記録媒体内に再生不可能なデータが存在する場合にデジタルカメラ操作中にその存在やデータの詳細を積極的にユーザーに通知することにより、ユーザーは撮影可能残容量が少ない原因を明確に把握することができる。またユーザーへの消去選択通知手段によってユーザーは撮影可能残容量を確保するためにそれらのデータを消去するか否かを選択することができる作用を奏する。
【発明の効果】
【００２４】
本発明の請求項１の画像記録装置によれば、画像の撮影、記録、再生等が可能な画像記録装置において、記録媒体内に再生不可能な記録フォーマットのデータが存在する場合にユーザーは上記データが存在することを認識し、撮影可能枚数が少ない原因を把握することが可能になる。また他の情報機器で記録した画像記録フォーマット以外のデータを消してしまう誤りを防ぐことができる。
【００２５】
また、請求項２の画像記録装置によれば、ユーザーは撮影モードの時に記録媒体内に再生不可能な記録フォーマットのデータが存在することを認識して撮影枚数の調整を行うことができる。
【００２６】
また、請求項３の画像記録装置によれば、ユーザーは記録媒体内の記録可能残量が0の時に記録媒体内に再生不可能な記録フォーマットのデータが存在することを認識して撮影枚数の調整を行うことができる。
【００２７】
また、請求項４の画像処理装置によれば、ユーザーは記録媒体の画像記録装置への挿入時に記録媒体内に再生不可能な記録フォーマットのデータが存在することを認識して撮影枚数の調整を行うことができる。
【００２８】
また、請求項５の画像処理装置によれば、ユーザーは記録媒体の初期化時に記録媒体内に再生不可能な記録フォーマットのデータが存在することを認識して撮影枚数の調整を行うことができる。
【００２９】
また、請求項６の画像記録装置によれば、ユーザーは記録媒体内の全データ消去時に記録媒体内に再生不可能な記録フォーマットのデータが存在することを認識して撮影枚数の調整を行うことができる。
【００３０】
また、請求項７の画像記録装置によれば、ユーザーは記録媒体内に再生不可能な記録フォーマットのデータのファイル名で認識することにより、撮影可能枚数を確保するために上記のデータを消去する場合にはファイル単位で選択、消去が可能になる。
【００３１】
また、請求項８の画像記録装置によれば、ユーザーは記録媒体内に再生不可能な記録フォーマットのデータの総データ容量で認識することによって撮影画像領域がどれだけ減少しているかを把握し、撮影枚数の調整を行うことができる。
【００３２】
また、請求項９の画像記録装置によれば、ユーザーは記録媒体内に再生不可能な記録フォーマットのデータの総データ容量に相当する推定撮影可能枚数を把握し、撮影枚数の調整を行うことができる。
【００３３】
また、請求項１０の画像記録装置によれば、画像の撮影、記録、再生等が可能な画像記録装置において、記録媒体内に再生不可能な記録フォーマットのデータが存在する場合にユーザーは撮影可能枚数を確保するために上記のデータを消去するか否かの選択が可能になる。
【００３４】
また、請求項１１の画像記録装置によれば、ユーザーは画像記録装置が撮影モードの時に記録媒体内に再生不可能な記録フォーマットのデータが存在する場合に該データを消去するか否かを選択して撮影可能枚数の調整を行うことができる。
【００３５】
また、請求項１２の画像記録装置によれば、ユーザーは記録媒体内の記録可能残量が0の時に記録媒体内に再生不可能な記録フォーマットのデータが存在する場合に該データを消去するか否かを選択して撮影可能枚数の調整を行うことができる。
【００３６】
また、請求項１３の画像記録装置によれば、ユーザーは記録媒体の画像記録装置への挿入時に記録媒体内に再生不可能な記録フォーマットのデータが存在する場合に該データを消去するか否かを選択して撮影可能枚数の調整を行うことができる。
【００３７】
また、請求項１４の画像記録装置によれば、ユーザーは記録媒体の初期化時に記録媒体内に再生不可能な記録フォーマットのデータが存在する場合に該データを消去するか否かを選択して撮影可能枚数の調整を行うことができる。
【００３８】
また、請求項１５の画像処理装置によれば、ユーザーは記録媒体内の全データ消去時に記録媒体内に再生不可能な記録フォーマットのデータが存在する場合に該データを消去するか否かを選択して撮影可能枚数の調整を行うことができる。
【００３９】
また、請求項１６の記録媒体によれば、他の画像記録装置についても本発明の記録媒体を用いることで、記録媒体内に再生不可能な記録フォーマットのデータが存在する場合にユーザーは上記データが存在することを認識し、撮影可能枚数が少ない原因を把握する機能が実現でき、他の情報機器で記録した画像記録フォーマット以外のデータを消してしまう誤りを防ぐことも実現できる。
【００４０】
また、請求項１７の記録媒体によれば、他の画像記録装置についても本発明の記録媒体を用いることで、画像の撮影、記録、再生等が可能な画像記録装置において、記録媒体内に再生不可能な記録フォーマットのデータが存在する場合にユーザーは撮影可能枚数を確保するために上記のデータを消去するか否かの選択が可能になる機能が実現可能となる。
【発明の最良の実施形態】
【００４１】
以下に本発明の実施例について説明する。
【実施例１】
【００４２】
以下に、本発明の第１の実施例を図１〜図３に基づき説明する。
【００４３】
本実施例ではデジタルカメラが撮影モードに変更されたときに、記録媒体内の再生不可能なデータが存在する場合にそれらの総データサイズとそれらを消去するか否かを選択する画面を付属のモニタに表示する方法について説明する。
【００４４】
本実施例におけるデジタルカメラのシステム構成を第１図に示す。ここで，１はデジタルカメラ全体、２は撮影光学系、３はレンズ、４はＣＣＤ、５はＣＤＳ／ＡＧＣ、６はＡ／Ｄコンバータ、７は信号処理装置Ａ、８はＶ−ドライブ、９はタイミングジェネレータ（以下ＴＧと略す）、１０は信号処理装置Ｂ、１１はデータバス、１２はＣＰＵバス、１３はＲＯＭ等の不揮発性メモリ 、１４はＣＰＵ、１５は画像データの記録を行うコンパクトフラッシュ(登録商標：以下ＣＦと略す)、１６は操作部材を持つユーザーインターフェース、１７はディスプレイコントローラ、１８はＶＲＡＭ、１９はＤＲＡＭ等の揮発性メモリ、２０は液晶モニタである。
【００４５】
まず、デジタルカメラ１の撮影表示に関する動作について説明する。
【００４６】
以下の制御は全て揮発性メモリ１９のプログラムメモリ上にＣＦ１５或いは不揮発性メモリ１３からロードしたアルゴリズムを有するソフトウェア（制御プログラム）をＣＰＵ１４上で起動することで行う。まず撮影光学系２のレンズ３によってＣＣＤ４に結像した画像をＣＤＳ／ＡＧＣ５によって電気信号の振幅やゲインを調整する。さらにＡ／Ｄコンバータ６を用いてアナログ信号からデジタル信号に変換する。次にこのデジタル信号を、７の信号処理装置Ａを用いて、画像の色座標系上の値に変換する。ここで色座標系にはＹ−Ｃ座標系のほか、ＲＧＢ座標系等、様々な色空間の座標系が存在するが、本発明中では限定されるものではない。
【００４７】
７の信号処理装置ＡからはＣＣＤ４の撮影画素数に応じたデータが画素クロックに同期して出力する。すなわち第１図において信号処理装置Ａ（７）から出力する制御線上の値は画素クロックであり、データ線上の値は実際に撮影光学系２から取得した実画像データとなる。さらに、同様に信号処理装置Ａ（７）の制御線上には画素クロックと同時にＣＣＤ４の撮影エリアのサイズに対応した制御信号を出力する。すなわち撮影エリアの１ラインが始まる度にＨＤの信号を、撮影エリアの１フィールドおきにＶＤの信号を出力する。
【００４８】
このようにして、撮影光学系２によって撮影して色変換した信号を信号処理装置Ａ（７）の発生する制御信号と同期して出力し、信号処理装置Ｂ（１０）に入力する。信号処理装置Ｂ（１０）は主に揮発性メモリ１９とのデータの読み書き、ＣＦ１５とのデータの読み書き、ディスプレイコントローラ１７の駆動、液晶モニタ２０の画像表示用データのＶＲＡＭ１８への書き込み、ＣＰＵ１４からの信号の変換、撮影光学系への制御信号の送信、デジタルカメラ１外部への画像データの送信を制御する。信号処理装置Ｂ（１０）によって作成した画像データはＪＰＥＧ画像フォーマットに従った圧縮処理を行って記録データを生成し、ＣＦ１５に書き込み記録する。また、撮影時のプレビューや再生時に画像を液晶モニタ２０に表示するためには、画像データを、データバス１１を通じてＶＲＡＭ１８に書き込み、同時にＣＰＵバス１２を通じてディスプレイコントローラ１７を駆動する。ディスプレイコントローラ１７はＶＲＡＭ１８のデータを液晶モニタ２０に表示する。その他ユーザーインターフェース１６はユーザーからの撮影、再生、モード設定、液晶モニタ２０のＯＮ／ＯＦＦ、ＣＦ１５カードの着脱を行う。以上のようにしてユーザーは画像の撮影、記録、再生を行うことができる。
【００４９】
さて、本実施例ではその他に通知手段２１と消去選択通知手段２２を備えている。これと併せてデジタルカメラ１を撮影モードに変更した時の動作について説明する。
【００５０】
図２に撮影モード時のデジタルカメラの背面図を示す。１０１はデジタルカメラ、１０２はモード表示画面、１０３はモードダイヤル、１０４はシャッターボタン、１０５は光学ファインダ、１０６はスクロールボタン、１０７はメニューボタン、１０８はセットボタン、１０９は液晶モニタ、１１０はＣＦカードである。図２の操作部材による入力は全て第１図のユーザーインターフェース１６を通じて入力される。まず、モードダイヤル１０３はカメラの動作モードを決定するために用いる。ＡＵＴＯ、マニュアル、Ａｖ優先、Ｔｖ優先、ポートレート、スポーツ、夜景、スティッチ等の撮影モードの他に再生モードや電源のＯＮ／ＯＦＦなどがある。
【００５１】
ＣＦカード１１０は、デジタルカメラ１０１に装着して電源を投入して始めてカード内のデータにアクセスできる。以後説明する動作は全てＣＦカードがデジタルカメラ１０１に装着されたことを前提に行う。現在ＣＦカード内には画像記録フォーマットのｊｐｅｇファイルとして、「aaa.jpg」、「bbb.jpg」、「ccc.jpg」、・・・・の複数のファイルが存在するがその他に、
「xxx.exe」 ２２ＫＢ：実行ファイル
「yyy.xls」 １８ＫＢ：表計算ファイル
「zzz.txt」 ５ＫＢ  ：テキストファイル
が存在する。これらは画像と異なる記録フォーマットのデータであり、ＰＣのような他の情報機器に装着したときにＣＦカード１１０に記録されたものである。従来では上記のデータはデジタルカメラ１０１に搭載されたファイルシステムで認識されるが、表示をサポートするツール、例えば表計算ツールや編集ツールがないため、再生モードにおける表示はもとより、画像領域の対象とならない。すなわちユーザーはデジタルカメラ１０１上では「xxx.exe」、「yyy.xls」、「zzz.txt」のファイルが存在すること、及びそれらが各々が「xxx.exe」、「yyy.xls」、「zzz.txt」であることを認識することができない。さらに画像を撮影する時に記録媒体の残容量をもとに推定の残り撮影可能枚数を算出し、モード表示画面１０２上に表示するが、その枚数は異なる記録フォーマットのデータの分だけ少なくなっている。従ってユーザーは決まった容量のＣＦカード１１０を装着し、相当数の撮影を期待しているにも関わらず、予想以下の撮影可能枚数しか撮影できないことを認識し、その上その明確な原因を把握できないという問題を生じる。逆にユーザーがこれらのデータが存在することを認識せずに記録媒体の初期化を実行した場合には重要なデータまでも消去してしまうという問題を生じる。
【００５２】
そこで本実施例では第１図の通知手段２１と消去選択通知手段２２が下記に説明する処理を行う。以下の制御は全て揮発性メモリ１９のプログラムメモリ上にＣＦ１５或いは不揮発性メモリ１３からロードしたアルゴリズムを有するソフトウェア（制御プログラム）をＣＰＵ１４上で起動することで行う。
【００５３】
図３に本実施例における処理のフローチャートを示す。
【００５４】
まず撮影モードに変更すると（Ｓ２０１）、デジタルカメラ搭載のファイルシステムが起動する（Ｓ２０２）。ファイルシステムはＣＦカード内のファイルを検索し（Ｓ２０３）、ここでＪＰＥＧフォーマット以外のデータを検索する（Ｓ２０４）。ＪＰＥＧフォーマットは本実施例中のデジタルカメラで再生可能なデータフォーマットであり、再生モードでは液晶モニタ２０に画像を表示することができる。
【００５５】
しかし、ＪＰＥＧフォーマット以外のデータは表示することができない。図２においてＣＦカード１１０内のデータでは「aaa.jpg」、「bbb.jpg」、「ccc.jpg」等はＪＰＥＧフォーマットであるから再生表示が可能だが、「xxx.exe」、「yyy.xls」、「zzz.txt」はＪＰＥＧフォーマット以外のデータであるためで再生表示できない。ここで通知手段２１は、これらのデータサイズを取得して、これらの総データサイズを算出する（Ｓ２０５）。もし、ＪＰＥＧフォーマット以外のデータが存在しない場合には、撮影モードスタンバイ動作を継続し液晶モニタ上にＥＶＦ表示を行う（Ｓ２１０）。
【００５６】
例えば、「xxx.exe」＝２２ＫＢ、「yyy.xls」＝１６ＫＢ、「zzz.txt」＝５ＫＢであることが取得できるので、その合計４５ＫＢを算出する（Ｓ２０５）。通知手段２１はこの総データサイズを液晶モニタ１０９に表示する（Ｓ２０６）。これによりユーザーはＣＦカード１１０内に再生不可能な記録フォーマットのデータが存在することを把握することができる。
【００５７】
次に消去選択通知手段２２を起動して同様に液晶モニタ１０９にこれらのデータを消去するか否かを選択する画面を表示する（Ｓ２０７）。ユーザーは再生不可能な記録フォーマットの画像を消去して撮影可能枚数を確保することが可能である。或いは、重要なデータであるためこれらを保持して撮影を継続することも可能である。ここでユーザーがデータの消去を選択した場合には（Ｓ２０８）、ファイルシステムによってデータを消去する（Ｓ２０９）。消去を選択しない場合には、撮影モードスタンバイ動作を継続し液晶モニタ上にＥＶＦ表示を行う（Ｓ２１０）。
【００５８】
以上のようにして、デジタルカメラはユーザーに再生不可能な記録フォーマットのデータが存在し、その総データサイズを表示すると共に、消去選択をユーザーに促し不要である場合にはデータを消去して撮影可能枚数を確保することができるようになる。
【００５９】
本実施例ではＪＰＥＧのみが再生可能な画像記録フォーマットとして挙げたが、これに限定されるものではなく、サムネイル画像等に用いるＴＩＦＦやその他の画像記録フォーマット（ｇｉｆ、ＢＭＰ等）でも同様である。
【実施例２】
【００６０】
以下に、本発明の第１の実施例を図４、図５に基づき説明する。
【００６１】
本実施例ではデジタルカメラに記録媒体が挿入されたときに、記録媒体内の再生不可能なデータが存在する場合にそれらのファイル名とそれらを消去するか否かを選択する画面を付属のモニタに表示する方法について説明する。但しデジタルカメラの電源は既に投入済みであると仮定する。
【００６２】
本実施例のデジタルカメラの構成、及び動作は上述の実施例１に示す第１図とほぼ同じであるが、異なる点は通知手段２１と消去選択通知手段２２の動作である。  
【００６３】
また、図４に記録媒体をデジタルカメラに挿入した時のデジタルカメラの背面図を示す。なお、図４は図２と全く同様であり同じ部材には同様の番号を付与している。上述の実施例１と異なる点は液晶モニタ１０９上に表示する画面である。
【００６４】
図５に本実施例における処理のフローチャートを示す。このフローチャートを追って順に処理の詳細を説明する。
【００６５】
まず、電源投入状態でＣＦカード１１０を挿入すると （Ｓ４０１）、デジタルカメラ搭載のファイルシステムが起動する（Ｓ４０２）。ファイルシステムはＣＦカード内のファイルを検索し（Ｓ４０３）、ここでＪＰＥＧフォーマット以外のデータを検索する（Ｓ４０４）。ＪＰＥＧフォーマットは本実施例中のデジタルカメラで再生可能なデータフォーマットであり、再生モードでは液晶モニタ２０に画像を表示することができる。しかし、ＪＰＥＧフォーマット以外のデータは表示することができない。図２においてＣＦカード１１０内のデータでは「aaa.jpg」、「bbb.jpg」、「ccc.jpg」等はＪＰＥＧフォーマットであるから再生表示が可能だが、「xxx.exe」、「yyy.xls」、「zzz.txt」はＪＰＥＧフォーマット以外のデータであるためで再生表示できない。ここで通知手段２１は液晶モニタ１０９上に図４に示すように、まずＪＰＥＧフォーマット以外のデータが存在することをユーザーに通知する。さらに消去選択通知手段２２を起動して同様に液晶モニタ１０９にこれらのデータを消去するか否かを選択する画面を表示する（Ｓ４０５）。これによりユーザーはＣＦカード１１０内に再生不可能な記録フォーマットのデータが存在することを把握することができる。もしＪＰＥＧフォーマット以外のデータが存在しない場合には、以上の処理を終了する（Ｓ４１０）。
【００６６】
ユーザーは再生不可能な記録フォーマットの画像を消去して撮影可能枚数を確保することが可能である。或いは、重要なデータであるためこれらを保持して撮影を継続することも可能である。ここでユーザーがデータの消去を選択した場合（Ｓ４０６）には、通知手段２１はファイル名を表示すると共に消去ファイル名を選択するためのチェックボックスを含む画面を表示する。そして消去選択通知手段は”ＯＫ”,”ＣＡＮＣＥＬ”のボタンからなる画面を表示する（Ｓ４０７）。ファイルはスクロールボタン１０６を押下することにより画面内でスクロールし、各ファイルがハイライト表示される。ハイライト表示された状態でセットボタン１０８を押下するとそのファイル名が選択される。図４では「yyy.xls」をハイライト表示して選択した状態を示している。さらにスクロールボタン１０６を下方へ押下し、表示ファイルの最後のファイルからさらに下方へ押下すると”ＯＫ”ボタンへさらに押下すると“ＣＡＮＣＥＬ”ボタンへ移動する。以上のようにしてファイルを選択しながら”ＯＫ”,”ＣＡＮＣＥＬ”いずれかのボタンでセットボタン１０８を選択する（Ｓ４０８）。ここで”ＯＫ”を選択した場合、すなわち消去を選択した場合には選択したファイル名に相当するデータをファイルシステムによって消去する（Ｓ４０９）。”ＣＡＮＣＥＬ”を選択した場合、すなわち消去を選択しない場合には、再度Ｓ４０６の選択表示画面を表示する。ここでさらに”ＣＡＮＣＥＬ”を選択した場合には処理を終了する（Ｓ４１０）。
【００６７】
以上のようにして、デジタルカメラは記録媒体が挿入された時点でユーザーに再生不可能な記録フォーマットのデータが存在すること可能になり、さらにファイル名を表示して消去選択をユーザーに促し不要である場合にはデータを消去して撮影可能枚数を確保することができるようになる。
【００６８】
以上２つの実施例を挙げたが、上記の動作は実施形態の１つに過ぎず本実施例に限定されるものではない。例えば、上記実施例の動作はデジタルカメラの撮影モード移行時、或いは記録媒体の挿入時に限定されているが、例えば撮影モードにおいて撮影可能残数が０（ゼロ）の時や、記録媒体内の全データ消去選択時や或いは記録媒体の初期化時においても同様のことが言える。また通知手段２１によってユーザーに通知する内容として再生不可能なデータの総データサイズやファイル名を実施例中に挙げたが、その他のデータの属性情報、例えば総データサイズに相当する撮影可能枚数を表示することも可能である。また全ての手段を併用することも可能である。
【図面の簡単な説明】
【００６９】
【図１】本発明に係る第１の実施例における画像記録装置の構成図である。
【図２】本発明に係る第１の実施例におけるデジタルカメラの背面図である。
【図３】本発明に係る第１の実施例における画像記録装置動作を示すフローチャートである。
【図４】本発明に係る第２の実施例におけるデジタルカメラの背面図である。
【図５】本発明に係る第２の実施例における画像記録装置動作を示すフローチャートである。
【符号の説明】
【００７０】
１    デジタルカメラ
２    撮像光学系
３    レンズ
４    ＣＣＤ
５    ＣＤＳ／ＡＧＣ
６    Ａ／Ｄコンバータ
７    信号処理装置Ａ
８    Ｖドライブ
９    タイミングジェネレータ
１０  信号処理装置B
１１  データバス
１２  ＣＰＵバス
１３  不揮発性メモリ
１４  ＣＰＵ
１５  コンパクトフラッシュ
１６  ユーザーインターフェース
１７  ディスプレイコントローラ
１８  ＶＲＡＭ
１９  揮発性メモリ
２０  液晶モニタ
２１  通知手段
２２  消去選択通知手段
【図１】
2005175983.tif 000003
【図２】
2005175983.tif 000004
【図３】
2005175983.tif 000005
【図４】
2005175983.tif 000006
【図５】
2005175983.tif 000007